(57)【要約】【課題】  注入準備のためのパンク修理キットの組み立て作業を、清浄かつ容易に行う。【解決手段】  ボトル容器５の口部５Ｄに取り付けられたキャップ６は、口部に取り付くキャップ部１０と、このキャップ部１０から突出するノズル状をなし注入ホース３が接続可能な連結管部１１とを有するキャップ本体８、及び接続管部１１の外端に固着されシール膜９とを具える。コア回し部４Ａを一端に設けたコア回し治具４は、他端に、シール膜９を通破しうる先端鋭利な通破部４Ｃを有する。【選択図】図２
2017132194.tif 000002
【特許請求の範囲】
【請求項１】
パンク修理液を収容したボトル容器と、このボトル容器の口部に取り付けられたキャップとを具えるボトルユニット、
前記ボトル容器内のパンク修理液をタイヤ内に注入するための注入ホース、
及びタイヤのエアバルブからバルブコアを脱着するためのコア回し部を一端に設けたコア回し治具を具えるとともに、
前記キャップは、
前記ボトル容器の口部に取り付くキャップ部と、このキャップ部から外向きに突出するノズル状をなし前記注入ホースが接続可能な連結管部とを有するキャップ本体、
及び前記連結管部の外端に固着され連結管部の開口を閉じるシール膜とを具え、
しかも前記コア回し治具は、他端に、前記シール膜を通破しうる先端鋭利な通破部を有することを特徴とするパンク修理キット。 
【発明の詳細な説明】
【技術分野】
【０００１】
本発明は、ボトル容器内のパンク修理液を、手の圧搾操作によってタイヤ内に注入するパンク修理システムにおいて、操作性を向上したパンク修理キットに関する。
【背景技術】
【０００２】
下記の特許文献１には、ボトル容器内のパンク修理液を、手の圧搾操作によってタイヤ内に注入するパンク修理システムに使用されるパンク修理キットが提案されている。
【０００３】
この提案のパンク修理キットは、図３（Ａ）、（Ｂ）に示すように、ボトルユニットＡと、キャップユニットＢとを具える。ボトルユニットＡは、パンク修理液を収容したボトル容器とＡａと、その口部Ａａ１に嵌着される密閉用の中蓋Ａｂと、口部Ａａ１に螺着される外蓋Ａｃとを具える。またキャップユニットＢは、前記口部Ａａ１に螺着されるキャップ本体Ｂａと、このキャップ本体Ｂａの連結管部Ｂａ１に接続される注入ホースＢｂとを具える。
【０００４】
使用者は、まずボトルユニットＡから外蓋Ａｃを取り外し、その後、口部Ａａ１に、キャップユニットＢを螺着する。キャップ本体Ｂａには、先端鋭利な挿通管部Ｂａ２が内向きに突出しており、キャップユニットＢを螺着する際、挿通管部Ｂａ２が中蓋Ａｂを突き破ることで、注入の準備が行われる。
【０００５】
しかし前記提案のパンク修理キットでは、前記挿通管部Ｂａ２の先端Ｅが、中心線ｉからずれているため、螺着の際、先端Ｅは、中心線ｉの回りを回りながら押し入ることとなる。そのため、中蓋Ａｂをなかなか突き破ることができず、また螺着に大きな力が必要となるなど、操作性に劣るものであった。
【０００６】
また、作業手順がわかりにくく、例えばボトルユニットＡから外蓋Ａｃ、中蓋Ａｂを取り外してしまい、その後、キャップユニットＢを螺着するという誤操作も生じる。この場合、中蓋Ａｂの取り外しにより、手や指にパンク修理液が付着する恐れがあり、清浄にパンク修理作業が行えなくなるという問題も生じる。
【先行技術文献】
【特許文献】
【０００７】
【特許文献１】特開２００３−２６２１７号公報
【発明の概要】
【発明が解決しようとする課題】
【０００８】
そこで本発明は、ボトル容器内のパンク修理液を、手の圧搾操作によってタイヤ内に注入するパンク修理システムにおいて、注入準備のためのパンク修理キットの組み立て作業を、清浄かつ容易に行いうるパンク修理キットを提供することを課題としている。
【課題を解決するための手段】
【０００９】
本発明は、パンク修理液を収容したボトル容器と、このボトル容器の口部に取り付けられたキャップとを具えるボトルユニット、
前記ボトル容器内のパンク修理液をタイヤ内に注入するための注入ホース、
及びタイヤのエアバルブからバルブコアを脱着するためのコア回し部を一端に設けたコア回し治具を具えるとともに、
前記キャップは、
前記ボトル容器の口部に取り付くキャップ部と、このキャップ部から外向きに突出するノズル状をなし前記注入ホースが接続可能な連結管部とを有するキャップ本体、
及び前記連結管部の外端に固着され連結管部の開口を閉じるシール膜とを具え、
しかも前記コア回し治具は、他端に、前記シール膜を通破しうる先端鋭利な通破部を有することを特徴としている。
【発明の効果】
【００１０】
本発明のパンク修理キットでは、ボトル容器に、予めキャップが取り付けられている。このキャップには、キャップ部から外向きに突出する連結管部が形成されるとともに、連結管部の外端に、パンク修理液を密封するシール膜が固着されている。即ち、シール膜は、外部に露出している、そのため、作業者は、このシール膜を容易に視認することができ、また誤操作をすることなく、コア回し治具の通破部を用いて、シール膜を、少しの力で容易に通破することができる。即ち、注入準備のためのパンク修理キットの組み立て作業を、清浄にかつ容易に行うことができる。
【図面の簡単な説明】
【００１１】
【図１】本発明のパンク修理キットの一実施例を示す正面図である。
【図２】キャップを拡大して示す断面図である。
【図３】（Ａ）、（Ｂ）は従来のボトルユニット及びキャップユニットを示す断面図である。
【発明を実施するための形態】
【００１２】
以下、本発明の実施の形態について、詳細に説明する。
図１に示すように、本実施形態のパンク修理キット１は、ボトルユニット２と、注入ホース３と、コア回し治具４とを具える。
【００１３】
前記ボトルユニット２は、パンク修理液Ｌを収容したボトル容器５と、このボトル容器５の口部５Ｄに取り付けられたキャップ６とを具える。
【００１４】
ボトル容器５は、筒状の胴部５Ａと、この胴部５Ａの下端を閉じる底部５Ｂと、胴部５Ａの上端に先細状のショルダ部５Ｃを介して連なる小径な筒状の口部５Ｄとを一体に具える。口部５Ｄの外周面には、本例では、キャップ６を取り付ける雄ネジ部が形成される。本例では、便宜上、口部５Ｄの側を「上」、底部５Ｂの側を「下」として説明する場合がある。
【００１５】
本例のボトル容器５は、圧搾操作性を高めるために、例えば軟質塩化ビニル樹脂、軟質ポリエステル樹脂、低密度ポリエチレン樹脂、軟質ポリプロピレン樹脂等の柔軟性を有する樹脂から形成される。
【００１６】
他方、ガスバリア性能を確保してパンク修理液Ｌの酸化劣化を防止するために、本例では、例えば、ボトルユニット２又はパンク修理キット１を収納袋（図示しない）内に密封するとともに、この収納袋にガスバリア性能を付与している。具体的には、収納袋は、少なくとも酸素非透過性層を有して形成される。好ましくは、酸素非透過性層を有する例えば多層構造で形成される。酸素非透過性層は、ＪＩＳＫ７１２６の「プラスチック−フィルム及びシート−ガス透過度試験方法」に準拠して測定した酸素透過度が３cc／m２・day・atm以下の層として定義される。
【００１７】
なお収納袋に代えて、ボトル容器５の胴部５Ａ周囲に、ラベル（図示しない）を貼り付けるとともに、このラベルにガスバリア性能を付与させることも好ましい。この場合、ラベルは、少なくとも酸素非透過性層を有して形成される。
【００１８】
図２に示すように、キャップ６は、キャップ本体８と、シール膜９とを具える。キャップ本体８は、前記口部５Ｄに取り付くキャップ部１０と、このキャップ部１０から外向きに突出する注入ホース接続用の連結管部１１とを一体に具える。図中の符号２０はパッキンである。
【００１９】
前記キャップ部１０は、前記口部５Ｄに螺合する雌ネジ部を内周面に設けた円筒状の主部１０Ａと、その上端を閉じる天板部１０Ｂとを具える。また連結管部１１は、中心孔１１Ｈを有し、前記天板部１０Ｂの上面から外向きにノズル状に突出する。中心孔１１Ｈの上端は、連結管部１１の外端で開口し、また中心孔１１Ｈの下端は、前記天板部１０Ｂの下面で開口する。
【００２０】
前記シール膜９は、連結管部１１の外端に固着され、前記中心孔１１Ｈを閉じる。これにより、パンク修理液Ｌを密閉する。シール膜９は、通破容易な薄膜体であって、本例では、連結管部１１の外端面に熱溶着される。そのために、連結管部１１（キャップ本体８）と同じ材質（例えばポリエチレンなど）のベース層を有するのが好ましい。さらに好ましくは、ガスバリア性能のために、ベース層の外側にアルミ層をラミネートしたものが採用できる。
【００２１】
このシール膜９は、使用者による注入準備作業において、コア回し治具４によって通破される。
【００２２】
図１に示すように、コア回し治具４は、胴部４Ａの一端に、タイヤのエアバルブからバルブコアを脱着するためのコア回し部４Ｂを具える。コア回し部４Ｂは、バルブコアに係合してバルブコアを回しうるコ字状のノッチ４Ｂ１を含む。このコア回し治具４は、パンク修理液Ｌの注入前にバルブコアをエアバルブから取り外す際、及び注入後にバルブコアをエアバルブに取り付ける際に使用される。またコア回し治具４は、前記胴部４Ａの他端に、シール膜９を通破しうる先端鋭利な、例えば円錐形状の通破部４Ｃを有する。
【００２３】
このコア回し治具４によってシール膜９が通破された後、ボトル容器内のパンク修理液Ｌをタイヤ内に注入するための注入ホース３が、前記連結管部１１に圧入によって接続される。
【００２４】
このようなパンク修理キット１は、ボトル容器５にキャップ６が予め取り付けられているため、従来のように、一旦外蓋を取り外した後にキャップを取り付けるという作業が不要となる。またキャップ６の連結管部１１に固着されているシール膜９は、外部に露出しているため、作業者は、このシール膜９を容易に視認することができる。従って、誤操作を招くことなく、作業者に、シール膜９をコア回し治具４を用いて、少しの力で容易に通破させることができる。即ち、注入準備のためのパンク修理キット１の組み立て作業を、清浄にかつ容易に行うことができる。
【００２５】
以上、本発明の特に好ましい実施形態について詳述したが、本発明は図示の実施形態に限定されることなく、種々の態様に変形して実施しうる。
【符号の説明】
【００２６】
１     パンク修理キット
２     ボトルユニット
３     注入ホース
４     コア回し治具
４Ｂ   コア回し部
４Ｃ   通破部
５     ボトル容器
５Ｄ   口部
６     キャップ
８     キャップ本体
９     シール膜
１０   キャップ部
１１   連結管部
Ｌ     パンク修理液
【図１】
2017132194.tif 000003
【図２】
2017132194.tif 000004
【図３】
2017132194.tif 000005